(57)【要約】【課題】住宅用分電盤に接続される蓄電池、蓄電池切替用の切替盤やＨＥＭＳなど、様々な機器を集約して配置するとともに、住宅のデッドスペースを有効に利用すること。【解決手段】壁部内に備えた空間部１３に、電気機器若しくは通信機器の少なくとも一方と、分電盤１１とを備えた、分電盤の設置構造１であって、空間部を臨む開口５０と、空間部を上下に分割する仕切板１４を備え、空間部は、上部に分電盤を備え、分電盤に電気的に接続される自立の電気機器を下部に備える構成とする。【選択図】図１
2018074729.tif 000002
【特許請求の範囲】
【請求項１】
壁部内に備えた空間部に、電気機器若しくは通信機器の少なくとも一方と、分電盤とを備えた、分電盤の設置構造であって、空間部を臨む開口と、空間部を上下に分割する仕切板を備え、空間部は、上部に分電盤を備え、分電盤に電気的に接続される自立の電気機器を下部に備える、分電盤の設置構造。
【請求項２】
空間部は、壁際に配置した床下空間と連なっており、床下空間に自立の機器を配置する請求項１記載の分電盤の設置構造。
【請求項３】
空間部は、天井より上側の上層空間と連なっており、上層空間には、分電盤若しくは通信機器の少なくとも一方を更に備えた請求項１記載の分電盤の設置構造。
【請求項４】
空間部は、分電盤の背面側に配線空間を備えた請求項１乃至３に記載の分電盤の設置構造。
【請求項５】
空間部は、仕切り板で分割された空間毎に扉を備えた請求項１乃至４の何れかに記載の分電盤の設置構造。
【発明の詳細な説明】
【技術分野】
【０００１】
本発明は、分電盤の設置構造に関するものである。
【背景技術】
【０００２】
住宅の省エネルギー対策として、住宅用分電盤、蓄電池、蓄電池切替用の切替盤やＨＥＭＳなど、様々な機器が住宅内に配置されるようなってきている。これらの機器は例えば特許文献１の図１等に記載されているように各々がばらばらに配置されているため、各機器間の配線距離が長くなり、メンテナンス時の作業が煩雑なものになっていた。
【先行技術文献】
【特許文献】
【０００３】
【特許文献１】特開２０１２−１７４４６６号公報
【発明の概要】
【発明が解決しようとする課題】
【０００４】
本件の発明者は、この点について鋭意検討することにより、解決を試みた。本発明の課題は、住宅用分電盤に接続される蓄電池、蓄電池切替用の切替盤やＨＥＭＳなど、様々な機器を集約して配置するとともに、住宅のデッドスペースを有効に利用することである。
【課題を解決するための手段】
【０００５】
上記課題を解決するため、次のような手段を採用する。第一の手段は、壁部内に備えた空間部に、電気機器若しくは通信機器の少なくとも一方と、分電盤とを備えた、分電盤の設置構造であって、空間部を臨む開口と、空間部を上下に分割する仕切板を備え、空間部は、上部に分電盤を備え、分電盤に電気的に接続される自立の電気機器を下部に備える、分電盤の設置構造である。
【０００６】
第一の手段において、空間部は、壁際に配置した床下空間と連なっており、床下空間に自立の機器を配置する構成とすることが好ましい。
【０００７】
第一の手段において、空間部は、天井より上側の上層空間と連なっており、上層空間には、分電盤若しくは通信機器の少なくとも一方を更に備えた構成とすることが好ましい。
【０００８】
第一の手段において、空間部は、分電盤の背面側に配線空間を備えた構成とすることが好ましい。
【０００９】
第一の手段において、空間部は、仕切り板で分割された空間毎に扉を備えた構成とすることが好ましい。
【発明の効果】
【００１０】
本発明では、住宅用分電盤に接続される様々な機器を集約して配置するとともに、分電盤に接続される自立の電気機器回りの住宅のデッドスペースを有効に利用することが可能となる。
【図面の簡単な説明】
【００１１】
【図１】実施例１の分電盤の設置構造の正面図である。
【図２】実施例１の分電盤の設置構造の平面図である。ただし、各機器の配置状態が分かるように、各機器の外形を表す線を重ねて示している。
【図３】実施例１の変形例における分電盤の設置構造の正面図である。
【図４】実施例１の変形例における分電盤の設置構造の平面図である。ただし、各機器の配置状態が分かるように、各機器の外形を表す線を重ねて示している。
【図５】実施例１の他の変形例における分電盤の設置構造の正面図である。
【図６】実施例１の他の変形例における分電盤の設置構造の平面図である。ただし、各機器の配置状態が分かるように、各機器の外形を表す線を重ねて示している。
【図７】実施例１の他の変形例における分電盤の設置構造の側面図である。
【図８】実施例２の分電盤の設置構造の正面図である。
【図９】実施例２の分電盤の設置構造の平面図である。ただし、各機器の配置状態が分かるように、各機器の外形を表す線を重ねて示している。
【図１０】実施例２の分電盤の設置構造の側面図である。
【図１１】実施例３の分電盤の設置構造の正面図である。
【図１２】実施例３の分電盤の設置構造の平面図である。ただし、各機器の配置状態が分かるように、各機器の外形を表す線を重ねて示している。
【図１３】実施例４の分電盤の設置構造の正面図である。
【図１４】実施例４の分電盤の設置構造の平面図である。ただし、各機器の配置状態が分かるように、各機器の外形を表す線を重ねて示している。
【図１５】実施例４の分電盤の設置構造の側面図である。
【図１６】実施例５の分電盤の設置構造の正面図である。
【図１７】実施例５の分電盤の設置構造の平面図である。ただし、各機器の配置状態が分かるように、各機器の外形を表す線を重ねて示している。
【図１８】実施例５の分電盤の設置構造の側面図である。
【図１９】実施例６の分電盤の設置構造の正面図である。
【図２０】実施例６の分電盤の設置構造の側面図である。
【発明を実施するための形態】
【００１２】
以下に発明を実施するための形態を示す。図１及び図２に示すように、本実施形態の分電盤の設置構造１は、建物の壁部２内に分電盤１１を備えた空間部１３と、空間部１３を臨む開口５０を備えている。また、この空間部１３には、電気機器若しくは通信機器の少なくとも一方を備えている。この空間部１３には、空間部１３を分割する仕切板１４を備えている。また、この空間部１３は、仕切板１４の上部に分電盤１１を備えており、分電盤１１に電気的に接続される自立の電気機器を仕切板１４の下部に備えている。したがって、住宅用分電盤に接続される様々な機器を集約して配置するとともに、分電盤に接続される自立の電気機器回りの住宅のデッドスペースを有効に利用することが可能となる。
【００１３】
本実施形態の壁部２は、内壁２２と外壁２１を備えている。外壁２１は屋外に面し、内壁２２は屋内の部屋に面している。また、内壁２２には、空間部１３を臨む開口５０が設けられている。分電盤１１を備えた空間部１３は、この内壁２２と外壁２１に囲まれた空間内に設けられている。この空間部１３は仕切板１４によって分割されており、仕切板１４の上にＨＥＭＳ（Ｈｏｍｅ  Ｅｎｅｒｇｙ  Ｍａｎａｇｅｍｅｎｔ  Ｓｙｓｔｅｍ）３１やルータ３２などの情報機器を備えている。また、仕切板１４の上部の空間には、住宅用分電盤や情報分電盤、切替盤などの壁設置用電気機器を備えている。更には、仕切板１４の下部の空間には、蓄電池１２２や全館空調装置１２１など、自立する電気機器が備えられている。なお、外壁２１は内壁２２と対となって空間部１３を構成するものであればよく、外壁２１は屋内に面していてもよい。
【００１４】
空間部１３は、仕切板１４より上方の空間に、分電盤１１やＨＥＭＳ３１やルータ３２などの情報機器や、切替開閉器３３などのやや小型の電気機器が配置されている。また、仕切板１４の下部の空間には、蓄電池１２２や全館空調装置１２１など、仕切板１４の上に配置された電気機器よりも重い電気機器が配置されている。
【００１５】
なお、空間部１３を仕切る仕切板１４に通気用のスリット３５を複数形成することで、空間部１３内の特定カ所で温度が上昇することを抑制させることもできる。
【実施例１】
【００１６】
本実施例は、住宅内の構造を示しており、分電盤１１は住宅用分電盤１１である。ここで、図１及び図２を例に分電盤の設置構造１を説明する。本実施例では、空間部１３は、前後を外壁２１、内壁２２、左右を横仕切壁４１、上下を天井８、床９で囲われた閉鎖空間となっている。より詳しくは、空間部１３の左右は、上下方向に延びる横仕切壁４１により仕切られている。壁設置用電気機器を取り付ける取付壁４２が、この横仕切壁４１間をわたすように設けられている。また、空間部１３を分断する仕切板１４も、この横仕切壁４１間をわたすように設けられている。本実施例では分電盤１１を取付壁４２に設置しているが、分電盤１１を横仕切壁４１に設置するものとしても良い。
【００１７】
本実施例においては、空間部１３に分電盤１１及び全館空調装置１２１が配置されている。本実施例における分電盤１１に電気的に接続される自立の電気機器は、全館空調装置１２１であり、仕切板１４より下方に配置されている。また、全館空調装置１２１の真上であり、仕切板１４より上方には、分電盤１１が配置されている。
【００１８】
本実施例においては、取付壁４２と外壁２１との間に、分電盤１１からの配線を通す配線空間１５を設けている。なお、分電盤１１を横仕切壁４１に直接設置する場合には、分電盤１１と外壁２１との間に配線空間１５を設けるものとしても良い。このように、分電盤１１の背面側に配線空間１５を備えた構成とすることで、分電盤１１からの配線が煩雑となることを抑制することができる。
【００１９】
本実施例においては、横仕切壁４１や天井８、床９に通気部３７を備えている。この通気部３７があるため、壁部２内や屋根裏、床下へ排気が可能となる。また、図示はしないが、取付壁４２に通気部を備えた構成とすることも可能である。
【００２０】
本実施例の空間部１３は仕切板１４の上部に電源供給用のコンセント３６を備えている。このため、通信機器等への電力供給が容易となる。
【００２１】
また、本実施例の空間部１３は、仕切板１４より上方の空間に、少なくとも分電盤１１と通信機器を備え、仕切板１４より下方の空間に、少なくとも分電盤１１に電気的に接続される自立の電気機器を備えている。したがって、各機器間の配線距離を短くすることができる。
【００２２】
本実施例では、内壁２２の開口５０に対して回動可能に扉１９が取り付けられている。壁部２内に配置されている分電盤１１などを操作したり、確認したりしなくてよいときは、この扉１９は閉じておけば良い。また、本実施例の空間部１３は、仕切り板で分割された空間毎に扉１９を備えた構成としている。したがって、機器のメンテナンス時には、必要な扉１９だけを開閉すればよい。
【００２３】
図３及び図４には、本実施例の変形例を示している。この変形例は仕切板１４を二つ設けており、上下方向に空間が３つに分断されている。このように、仕切板１４は複数個設けるものとすることができる。
【００２４】
図５、６及び図７には、本実施例の他の変形例を示している。この変形例は、床下空間９２は、前後を外壁２１、床下壁面（図示しない）、左右を横仕切壁４１、上下を床９、基礎部分７２で囲われた閉鎖空間となっている。この床下空間９２に自立する電気機器である全館空調装置１２１を配置している。また、横仕切壁４１を床下の基礎部分７２から天井８にわたるような構成としている。この例では、空間部１３は、床上空間９１と、壁際に配置した床下空間９２とが連なっており、床下空間９２に自立の電気機器を配置している。したがって、床下空間９２を有効活用することができる。なお、床下空間９２に自立の電気機器を配置しているため、自立の電気機器が多少大きくても、日常の行動範囲を狭めることが無い。また、本例では、取り外し可能な床蓋９３を採用し、自立の機器の設置や取り出しに際して支障がないようにしている。このような構成であると、床上空間９１に設けられた扉１９と、床蓋９３とを開放することで、床上空間と床下空間とを臨む一連の開口が形成され、空間部１３での作業性が向上する。
【実施例２】
【００２５】
次に図８、９及び図１０を例に分電盤の設置構造１を説明する。本実施例では、空間部１３の左右は、床９から天井８まで上下方向に延びるレール４４により仕切られている。壁設置用電気機器を取り付ける取付壁４２が、床９から天井８までわたる一対のレール４４をわたすように設けられている。また、空間部１３を分断する仕切板１４も、このレール４４をわたすように設けられている。なお、本実施例では分電盤１１を取付壁４２に設置しているが、分電盤１１を一対のレール４４に直接設置するものとしても良い。
【００２６】
なお、図示はしないが、レール４４を、床下の基礎部分７２から天井８まで上下方向に延びる構成とすることも可能である。この場合、壁設置用電気機器を取り付ける取付壁４２が、床下の基礎部分７２から天井８までわたる一対のレール４４をわたすように設けることができる。また、空間部１３を分断する仕切板１４も、このレール４４をわたすように設けることができる。なお、本実施例においても、分電盤１１を一対のレール４４に直接設置する構成としても良い。
【実施例３】
【００２７】
次に図１１及び図１２を例に分電盤の設置構造１を説明する。本実施例では、空間部１３の左右は、上下方向に延びる横仕切壁４１により仕切られている。この横仕切壁４１には一対のレール４４が設けられている。壁設置用電気機器を取り付ける取付壁４２が、一対のレール４４をわたすように設けられている。また、空間部１３を分断する仕切板１４も、このレール４４をわたすように設けられている。なお、本実施例では分電盤１１を取付壁４２に設置しているが、分電盤１１を一対のレール４４に直接設置するものとしても良い。
【００２８】
本実施例においては、取付壁４２と外壁２１との間に、分電盤１１からの配線を通す配線空間１５を設けている。なお、分電盤１１をレール４４に直接設置する場合には、分電盤１１と外壁２１との間に配線空間１５を設けるものとしても良い。このように、分電盤１１の背面側に配線空間１５を備えた構成とすることで、分電盤１１からの配線が煩雑となることを抑制することができる。
【００２９】
本実施例においては、横仕切壁４１や天井８、床９に通気部３７を備えている。この通気部３７があるため、壁部２内や屋根裏、床下へ排気が可能となる。また、図示はしないが、取付壁４２に通気部を備えた構成とすることも可能である。
【実施例４】
【００３０】
次に図１３、１４及び図１５を例に分電盤の設置構造１を説明する。本実施例では、一対のレール４４が二組設けられており、空間部１３の左右は、床９から天井８まで上下方向に延びる二組のレール４４により仕切られている。壁設置用電気機器を取り付ける取付壁４２は、床９から天井８までわたる二組の一対のレール４４をわたすように設けられている。また、空間部１３を分断する仕切板１４も、このレール４４をわたすように設けられている。なお、本実施例では分電盤１１を取付壁４２に設置しているが、分電盤１１を一対のレール４４に直接設置するものとしても良い。
【実施例５】
【００３１】
次に図１６、１７及び図１８を例に分電盤の設置構造１を説明する。本実施例では、空間部１３の左右は、上下方向に延びる略ロ字状の枠体４６により仕切られている。壁設置用電気機器を取り付ける取付壁４２が、一対の枠体４６間をわたすように設けられている。また、空間部１３を分断する仕切板１４も、この枠体４６間をわたすように設けられている。本実施例では分電盤１１を取付壁４２に設置しているが、分電盤１１を枠体４６に設置するものとしても良い。
【実施例６】
【００３２】
次に図１９及び図２０を例に分電盤の設置構造１を説明する。本実施例では、天井８の上側に、壁際に配置した上層空間ＵｐＥを、空間部１３が備えている。つまり、空間部１３は、下層階の下層空間ＵｎＥと上層階の上層空間ＵｐＥとで構成されている。この下層空間ＵｎＥには、分電盤１１、通信機器、自立の電気機器が配置される。また、上層空間ＵｐＥには、分電盤１１若しくは通信機器の少なくとも何れか一方が配置される。本実施例における上層空間ＵｐＥの分電盤１１は、下層空間ＵｎＥの分電盤１１と接続され、電力が下層空間ＵｎＥの分電盤１１から送られる。本実施例として、二階建ての建物を例とした場合、下層空間ＵｎＥは一階の壁部内に設けた空間、上層空間ＵｐＥは二階の壁部内に設けた空間であり、一階と二階の壁部内に設けた空間を連なるように空間部１３が構成されている。このとき、床９は一階の床面、天井８は一階の天井及び二階の床面、上層階の天井ＵＰＣは二階の天井を構成している。
【００３３】
本実施例のように、空間毎に分電盤を設けることで、各階への配線距離を短くすることができる。また、空間毎に通信機器を設けることで、ルータ等の中継機器が一箇所に集中することで生じる通信障害等を削減することができる。なお、本実施例の空間部１３の左右は、上層階の天井ＵＰＣと床９との間を上下方向に延びる横仕切壁４１により仕切られている。壁設置用電気機器を取り付ける取付壁４２が、一対の横仕切壁４１間をわたすように設けられている。また、空間部１３を分断する仕切板１４も、この横仕切壁４１間をわたすように設けられている。本実施例では分電盤１１を取付壁４２に設置しているが、分電盤１１を横仕切壁４１に設置するものとしても良い。
【００３４】
以上、六つの実施例を中心に実施形態を説明してきたが、本発明は上記実施形態に限定されることはなく、各種の態様とすることが可能である。例えば、空間部の前面には扉を備えることが好ましいが、必須事項ではなく、扉の無い構成とすることも可能である。また、仕切り板の設置に関わらず、一枚の扉で空間部の前側全体を覆うことができるような形態とすることも可能である。
【符号の説明】
【００３５】
１  分電盤の設置構造
２  壁部
１１  分電盤
１３  空間部
１４  仕切板
１５  配線空間
１９  扉
５０  開口
９１  床上空間
９２  床下空間
ＵｐＥ  上層空間
ＵｎＥ  下層空間
【図１】
2018074729.tif 000003
【図２】
2018074729.tif 000004
【図３】
2018074729.tif 000005
【図４】
2018074729.tif 000006
【図５】
2018074729.tif 000007
【図６】
2018074729.tif 000008
【図７】
2018074729.tif 000009
【図８】
2018074729.tif 000010
【図９】
2018074729.tif 000011
【図１０】
2018074729.tif 000012
【図１１】
2018074729.tif 000013
【図１２】
2018074729.tif 000014
【図１３】
2018074729.tif 000015
【図１４】
2018074729.tif 000016
【図１５】
2018074729.tif 000017
【図１６】
2018074729.tif 000018
【図１７】
2018074729.tif 000019
【図１８】
2018074729.tif 000020
【図１９】
2018074729.tif 000021
【図２０】
2018074729.tif 000022